(57)【要約】【課題】  多くのシニア世代の男性は、オシッコのチョロ漏れに悩まされている。しかし従来これに有効に対処できる方法が無かった。【解決手段】  男性が普通に使用するトランクスの中に、布製の袋を取り付けて、そのなかに女性用の尿取りパッドと同じ材質のパッドを装着する。男性が排尿するとき、はじめにこの袋をトランクスから取りだし、後から男性器を取り出す。排尿後はすぐに袋を男性器の頭に被せ、チョロ漏れするオシッコを、初めから終わりまで尿取りパッドの中へ吸収させる。  袋とパッドは片側を開けた形にしているので、この間の動作は簡単である。  袋は手のひらに入るほどの大きさなので、排尿時に他人に見られる恐れは少ない。【選択図】図５
2007217852.tif 000002
【特許請求の範囲】
【請求項１】
シニア世代の男性のオシッコのチョロ漏れの被害を防ぐ布製の袋をつけたトランクス
【請求項２】
請求項１の袋の中へ入れる専用の尿取りパッド
【発明の詳細な説明】
【技術分野】
【０００１】  この発明は、大人の男性が通常穿いているトランクスの中に、専用の尿取りパッドを入れることが出来る布製の袋を付けるものである。
【背景技術】
【０００２】  従来のシニア男性のチョロ漏れの悩みを解消する方法として、前開きを有する男性用下着の発明（例えば特許出願文献１参照）、パンツやブリーフに尿を吸収するパッドをつける発明（例えば実用新案文献２参照）、トランクスの内側に吸水性に優れた生地で作ったポケットを装着したもの（例えば実用新案文献３参照）などがあった。
【特許出願文献１】
特許公開２００２−３０９４０１
【実用新案文献２】
実用新案公開平６−８０４１８
【実用新案文献３】
登録実用新案第３０５８８５８号
【発明の開示】
【発明が解決しようとする課題】
【０００３】  多くのシニア男性たちが悩むオシッコのチョロ漏れは、本人の意思に関係なく不規則に発生する。排尿直後に発生した場合は、本人の手を汚す。オシッコがズボンにかかれば、濡らした跡がズボンに模様をつける。下着の中で発生した場合は、下着を汚す。オシッコが内股をつたって流れれば、本人を不快な思いにさせる。
文献１の方法では、放尿時に前開き部分を男性器が楽に取り出せるようにすれば、残尿の漏れを防止することが出来るとしているが、チョロ漏れは男性器が締め付けられていなくても発生するので、真の対処法になっていない。
文献２の方法は、男子用の普通のパンツやブリーフに薄手の吸収パッドを粘着して用いている。普通の下着を使用することや、吸収パッドを使用することは評価できるが、パッドが下着内にむき出しに取り付けられるようなので、一回目のチョロ漏れには対処できても、パッドを反復して使おうとすると、使用方法が煩雑だし、尿を吸収したパッドが手や他の下着に触り不衛生である。
文献３の方法は、トランクス内にポケットを装着するものだが、チョロ漏れは排尿直後から発生するので、トランクスまで持っていくまでに手遅れになる場合が多い。又、男性器をポケットに挿入することとしているが、下着の中でこの動作をするのはかなり困難なことなので、実用性に乏しいと考えられる。
【課題を解決するための手段】
【０００４】  本発明はそれらの欠点を除くために発明されたものである。
男性用の普通のトランクスの中に、布製の袋を付け、その中に専用の尿取りパッドを装着するものである。
【発明の効果】
【０００５】  操作が簡単である。
袋は図２のようにトランクスの開口部に縫いつける。普段袋はトランクスの中にあるが、排尿するときには、この袋を先に取り出し、右手の手のひらの中に入れる。その後から男性器をトランクスから取り出す。
排尿後はすぐに袋の中のパッドを男性器の頭に被せる。図１、図５のように袋の形状が筒状ではなく、片面が三分の二ほど空けてあり、中に入れるパッドも図４のように、半面だけを閉じて片面は開いているので、丁度頭に帽子か笠を被せるような要領で、男性器の頭を包むことが出来るので操作が簡単である。【０００６】  チョロ漏れを確実に防ぐ。
排尿後すぐに男性器の頭を包み、トランクスの中まで送り込むので、その間に起こるチョロ漏れはパッドに吸収される。パッドは女性用の尿取りパッドとして開発されているのと同じ材質のものを使用すれば、男性のチョロ漏れの尿の量はわずかなので、このパッドで十分に吸収することが出来る。【０００７】  袋とパッドは安全に使用出来る。
袋は図２のようにトランクスに縫い付けるので取れて外れる心配はない。パッドは図４のようには袋の中に入れてから、背面を粘着テープで固定するので、男性が歩いたり活発に活動したりしても、はずれて取れるようなことはない。
パッドは袋の中側に納まっているので、オシッコを吸入した後のパッドでも、直接男性の肌に触れることはないので衛生面でも問題がない。
排尿後男性器の頭を袋で包み、トランクスの中に送り込むが、袋に重みがあるので、自然に両者は分離し、男性器が蒸れるようなことはない。【０００８】  他人に知られることなく使用出来る。
図２、図５のように普通のトランクスを使用している。付ける袋は、図２ではトランクスの開口部に直角についているように描いているが、実際に使用しているときは、材質が布なので下へ垂れ下がる。袋の大きさは図１にあるが、長辺の長さの上限の値を、トランクスの下部から袋の先がのぞくことがない長さにすれば、袋の先（図２のＢ）がトランクスの下からはみ出して見えることはない。
排尿時に袋を取り出すが、袋の大きさは男性の手のひらより小さいので、他人に見られる恐れは少ない。
排尿後の操作は簡単なので、操作にもたついて他人に気付かれるようなことはない。
使用するパッドは女性用の尿とりパッドと同じ材質のものを使用するが、消臭処理をされたものが多い。そうしたものを使用すれば、このトランクスを使用している男性のまわりに尿の臭いが漏れるようなことはない。
【発明を実施するための最良の形態】
【０００９】  本発明の実施の形態を図１〜図５に基づいて説明する。【００１０】  図１は布製の袋の大きさを、Ｍの大きさのトランクスとして寸法を記入している。
長辺の長さ２４センチ短辺の長さ８センチの布を用意し、左側８センチのところで折り返す。図１は折り返した後の形態である。
下部ＢＦを糸で縫い合わせる。上部ＡＧも糸で縫い合わせる。ＡＧの長さはＡＥの長さの約三分の一なので、三角形ＧＥＦはＥを頂点にして開閉が出来る。【００１１】  図２は図１で作った布製の袋を取り付けた形態である。
トランクスの開口部ＨＩのところに、布製の袋がトランクスを穿く男性の身体側になるようにして（図１を裏返して）、ＣＤを縫い付ける。【００１２】  図３は図１で作った布製の袋の中へ入れる専用の尿取りパッドの形態である。
パッドのある面が中側になるように、ａｂｅｆを折り返す。このときｆｇも同時に折り返す。次にｆｉｇｊを折り返して背面になっているａｂｅｆの上へ重ねて折り返し、接着テープで貼り付ける。【００１３】  図４は図３で作った袋状になったパッドの形態である。
ｆｉはビニールが二重になっているので、尿が漏れるのを防いでいる。ａｅは接着していないので開閉が出来る。ｅｆは袋の底状になっている。【００１４】  男性がトランクスを穿くとき、図１図２で作成した袋をトランクスの開口部から外へ取り出して、図３図４で作成した尿取りパッドを袋の中へ装着する。布袋の底のＡＢへパッドの底のｅｆを入れるが、布のＡＥとパッドのｅａとが同じ側になるように装着する。【００１５】  パッドの背面にある表裏２枚の接着テープで布袋とパッドとを接着する。【００１６】  図５は布袋へパッドを装着した形態である。
装着が出来たら布袋はトランクスのなかへしまう。
【産業上の利用可能性】
【００１７】  図１〜図３に記入した寸法はＭの大きさのトランクスを想定して記入したものである。トランクスにはＭだけでなく、Ｌ、ＬＬ、３Ｌなどもある。この発明はそうした大きさの異なるトランクスにも対応できる。【００１８】  トランクスは大きさが違うと開口部（図２のＨＩ）の長さが違う。袋の短辺（図１のＡＢ）をどの大きさのトランクスでも同じ長さにしておくと、開口部に隙間が出来る場合がある。この発明は、使用する男性が布製の袋を常に男性器を取り出す前に取り出さないと利用できないので、短辺の長さを開口部一杯にしておいて、使用する男性がイメージとして「袋を取り出さないと男性器が取り出せない」ことにしておく。【００１９】  トランクスのデザインや大きさは一様ではない。したがって図１に記入した袋の寸法はおおよそのものである。どのような寸法で作成しても、図２のＢがトランクスの下から覗いて見えないように、ＡＣ（ＢＤ）の長さを決定されたい。【００２０】  図３の尿取りパッドの大きさはトランクスをＭの大きさに想定して作成した図１の大きさに対応している。トランクスの大きさが変わり、袋の大きさが変われば、尿取りパッドの大きさも対応する袋の大きさに合わせて、Ｌ用とかＬＬ用という形に変えることが望ましい。【００２１】  図３で尿取りパッドの下に使用するものをビニールと記入したが、これは便宜的な表現である。現在発売されている女性用の尿取りパッドで使用しているものと同じに材質の物を使用されれば良い。【００２２】  図３の尿取りパッドは、現在発売されている女性用の尿取りパッドで使用しているものと同じ材質の物を使用されれば良い。【００２３】  女性用の尿取りパッドは、女性の体型に合わせて作られているが、この発明に使用するものは図３のような単純な長方形で良い。【００２４】  女性用の尿取りパッドは、想定される尿の量により幾つかの種類が販売されているが、男性のチョロ漏れの尿の量は僅少なので、女性用のものの最小のもので十分である。【００２５】  図３図４で見られるように、折り返した後のパッドの長さは同一でなく、下側が長くなっている。この理由は、チョロ漏れする尿をなるべく大きな面積で受けたいということの他に、布とパッドの重なりを長めにすることにより、布袋の硬直性を高めて、手のひらに持ったときの使用感を良くするためである。【００２６】  図３図４で使用している両面接着テープは図面作成上１０ミリメートル巾の市販のテープを想定して記入しているが、これは便宜的な表現である。実際に製品化するときには、接着の用を足すものならば、市販の両面接着テープでなくても良い。【００２７】  女性用の尿取りパッドは背面（パッドが取り付けてあるのと反対側）に薄い接着のりが全面に塗布してある。この発明においても、布袋の中へパッドを装着するときに、この接着のりは便利なので使用したい。
【図面の簡単な説明】
【図１】トランクスに取り付ける布製の袋の平面図
【図２】布製の袋を内部につけたトランクスの平面図
【図３】専用の尿取りパッドの平面図
【図４】同パッドを組み立てた状態の平面図
【図５】トランクスから袋を取り出した平面図
【図１】
2007217852.tif 000003
【図２】
2007217852.tif 000004
【図３】
2007217852.tif 000005
【図４】
2007217852.tif 000006
【図５】
2007217852.tif 000007